(57)【要約】【課題】配線用遮断器単位など施設内分岐回路毎にいずれの製造設備・電気設備が接続されているかを多大な手間をかけることなく簡便に特定することを可能にする。【解決手段】施設２内の電気機器３の電源ケーブル３ａに高調波電流注入装置６を接続し、施設２の分電盤７Ａ，７Ｂ内の配線において電流を測定しながら高調波電流注入装置６によって高調波電流を注入し、測定した電流における高調波電流の検出の有無に基づいて電気機器３が接続している施設内分岐回路を特定するようにした。【選択図】図１
2013042587.tif 000002
【特許請求の範囲】
【請求項１】
施設内の電気機器の電源ケーブルに高調波電流注入装置を接続し、前記施設の受電室若しくは分電盤内の配線又は前記施設の引込口配線において電流を測定しながら前記高調波電流注入装置によって高調波電流を注入し、前記測定した電流における前記高調波電流の検出の有無に基づいて前記電気機器が接続している施設内分岐回路を特定することを特徴とする電気機器電源ケーブル接続先の探索方法。
【請求項２】
前記高調波電流が偶数次若しくは９次以上の奇数次の高調波電流であることを特徴とする請求項１記載の電気機器電源ケーブル接続先の探索方法。
【請求項３】
施設内の電気機器の電源ケーブルに接続される高調波電流注入装置と、前記施設の受電室若しくは分電盤内の配線又は前記施設の引込口配線において電流を測定する手段と、当該電流を測定する手段によって電流を測定しながら前記高調波電流注入装置によって高調波電流を注入したときに測定された電流における前記高調波電流の検出を行う手段とを有することを特徴とする電気機器電源ケーブル接続先の探索システム。
【請求項４】
前記高調波電流が偶数次若しくは９次以上の奇数次の高調波電流であることを特徴とする請求項３記載の電気機器電源ケーブル接続先の探索システム。
【発明の詳細な説明】
【技術分野】
【０００１】
本発明は、電気機器電源ケーブル接続先の探索方法及び探索システムに関する。さらに詳述すると、本発明は、例えば工場や病院などの施設において複数の電気機器を設置している場合に、これら電気機器毎の電源ケーブルが接続されている、施設内で分岐して配線された回路の特定に用いて好適な電気機器電源ケーブル接続先の探索方法及び探索システムに関する。
【背景技術】
【０００２】
工場や病院などにおいてより一層の省エネルギー化を推進するためには製造設備・電気設備の使用状況（言い換えると、電力消費量）を製造設備・電気設備単体毎若しくは施設内で分岐して配線された回路（以下、施設内分岐回路という）毎のように詳細に把握することが有効な手段の一つであると考えられる。言い換えると、省エネルギー化を推進するためにはきめの細かい電力消費の管理が必要であり、きめの細かい電力消費の管理を行うためには実態の詳細な計測が必要であると考えられる。そして、電力消費の実態を詳細に把握するためには、施設の受電室若しくは分電盤等に計測器を設置し、例えば配線用遮断器単位など製造設備・電気設備毎若しくは施設内分岐回路毎の電力消費の計測が行われることが一般的である。
【０００３】
施設内分岐回路毎の電力消費の計測・分析を行う従来の方法としては、住戸に設けられたゲートウェイ装置が住戸の分電盤から当該分電盤の配線用遮断器(分岐ブレーカーとも呼ばれる)毎の電力積算量データを受信すると共に時刻情報及びゲートウェイ装置の識別子を付加した電力測定データを管理サーバに送信し、管理サーバが電力量を監視するためのデータ処理を行うものがある（特許文献１）。
【先行技術文献】
【特許文献】
【０００４】
【特許文献１】特開２０１０−１４６２６８号
【発明の概要】
【発明が解決しようとする課題】
【０００５】
しかしながら、特許文献１の電力消費の計測・分析方法では住戸の分電盤の配線用遮断器毎に例えば居間・エアコン，和室・エアコン，浴室のようにどのような電気設備に対応するものであるか特定できていることが前提となっているが、例えば工場などにおいては接続回路図の不備なども多く、配線用遮断器単位など施設内分岐回路毎にいずれの製造設備・電気設備が接続されているかが不明であることも多い。そして、接続されている製造設備・電気設備が不明のままでは施設内分岐回路毎に電力消費の計測を行っても意味がなく、特許文献１のような電力消費の分析を行うことがそもそもできないという問題がある。
【０００６】
また、上述のように省エネルギー化を推進するためにはきめの細かい電力消費の管理が必要であり、きめの細かい電力消費の管理を行うためには実態の詳細な計測が必要であると考えられるにもかかわらず、配線用遮断器単位など施設内分岐回路毎にいずれの製造設備・電気設備が接続されているかを多大な手間をかけることなく簡便に明らかにする方法は見当たらない。
【０００７】
そこで、本発明は、例えば配線用遮断器単位など施設内分岐回路毎にいずれの製造設備・電気設備が接続されているかを多大な手間をかけることなく簡便に特定することができる電気機器電源ケーブル接続先の探索方法及び探索システムを提供することを目的とする。
【課題を解決するための手段】
【０００８】
かかる目的を達成するため、請求項１記載の電気機器電源ケーブル接続先の探索方法は、施設内の電気機器の電源ケーブルに高調波電流注入装置を接続し、前記施設の受電室若しくは分電盤内の配線又は前記施設の引込口配線において電流を測定しながら前記高調波電流注入装置によって高調波電流を注入し、前記測定した電流における前記高調波電流の検出の有無に基づいて前記電気機器が接続している施設内分岐回路を特定するようにしている。
【０００９】
また、請求項３記載の電気機器電源ケーブル接続先の探索システムは、施設内の電気機器の電源ケーブルに接続される高調波電流注入装置と、前記施設の受電室若しくは分電盤内の配線又は前記施設の引込口配線において電流を測定する手段と、当該電流を測定する手段によって電流を測定しながら前記高調波電流注入装置によって高調波電流を注入したときに測定された電流における前記高調波電流の検出を行う手段とを有するようにしている。
【００１０】
したがって、これらの電気機器電源ケーブル接続先の探索方法及び探索システムによると、高調波電流を注入したときに測定された電流における高調波電流の検出の有無に基づいて、電気機器が接続している施設内分岐回路が特定される。
【００１１】
また、請求項２記載の発明は、請求項１記載の電気機器電源ケーブル接続先の探索方法において、前記高調波電流が偶数次若しくは９次以上の奇数次の高調波電流であるようにしている。また、請求項４記載の発明は、請求項３記載の電気機器電源ケーブル接続先の探索システムにおいて、前記高調波電流が偶数次若しくは９次以上の奇数次の高調波電流であるようにしている。ここで、一般の電気機器から発生する高調波電流は、奇数次のものが卓越して現れて偶数次のものは小さく、また、奇数次であっても３次，５次，７次といった次数のものまでが支配的であって９次以上の高次の高調波電流は総負荷電流に含まれる割合が非常に小さい。したがって、請求項２記載の発明及び請求項４記載の発明の場合には、電気機器から普段に発生している高調波電流と人為的に注入した高調波電流との区別が容易になる。
【発明の効果】
【００１２】
請求項１，請求項３記載の電気機器電源ケーブル接続先の探索方法及び探索システムによれば、高調波電流の注入とその検出のみにより、電気機器が接続している施設内分岐回路を特定することができるので、電気機器電源ケーブルの接続先の探索を簡便・迅速に行うことが可能になる。
【００１３】
さらに、請求項２，請求項４記載の電気機器電源ケーブル接続先の探索方法及び探索システムによれば、電気機器から普段に発生している高調波電流と人為的に注入した高調波電流との区別が容易になるので、電気機器電源ケーブル接続先の探索の効率化，更なる迅速化，確実化を図ることが可能になる。
【図面の簡単な説明】
【００１４】
【図１】本発明の電気機器電源ケーブル接続先の探索方法及び探索システムの実施形態の一例を示す構成図である。
【図２】実施形態における電流の測定を説明する図である。
【図３】電流の測定の他の形態を説明する図である。
【発明を実施するための形態】
【００１５】
以下、本発明の構成を図面に示す実施の形態の一例に基づいて詳細に説明する。
【００１６】
図１及び図２に、本発明の電気機器電源ケーブル接続先の探索方法及び探索システムの実施形態の一例を示す。なお、本実施形態では、工場や病院などの対象施設(電力需要家)２内の分電盤７Ａ，７Ｂから施設内に敷設される複数の施設内分岐回路（これらをまとめて屋内配線回路とも呼ばれる）に、複数の電気機器３Ａ，３Ｂ，３Ｃ，３Ｄ，３Ｅ（以下、これら電気機器３Ａ，…，３Ｅをまとめて表現する場合若しくは個々の電気機器を区別する必要がない場合には電気機器３と表記する）が電源ケーブル３Ａａ，３Ｂａ，３Ｃａ，３Ｄａ，３Ｅａ（以下、前述と同様の場合には電源ケーブル３ａと表記する）を介して接続されている場合を例に挙げて説明する。なお、施設内分岐回路は、分電盤７Ａ，７Ｂ並びに給電線（即ち、引込口配線８及び電柱に架設された電線）を介して電気事業者等の電力系統に接続されている。
【００１７】
また、本実施形態では、分電盤７Ａは配線用遮断器(分岐ブレーカーとも呼ばれる)７Ａａ，７Ａｂ，７Ａｃ，７Ａｄ，７Ａｅを有し、分電盤７Ｂは配線用遮断器７Ｂａ，７Ｂｂ，７Ｂｃを有する。そして、本実施形態では、分電盤７Ａ，７Ｂの配線用遮断器７Ａａ〜７Ａｅ，７Ｂａ〜７Ｂｃを単位として施設内分岐回路が構成される。
【００１８】
ところで、図１では、各電気機器３の電源ケーブル３ａが分電盤７Ａ，７Ｂの配線用遮断器７Ａａ〜７Ａｅ，７Ｂａ〜７Ｂｃのうちのいずれに接続されているかが図示されているが、この接続実態は電源ケーブル接続先の探索を行う前には実際には不明であり、電源ケーブルの接続先を辿ることはできない。
【００１９】
なお、本発明における電気機器３は特定の種類の機器に限られるものではない。一例を挙げれば、工場内において用いられる各種の製造設備，加工設備や、病院内において用いられる各種の検査設備，治療設備などが考えられる。
【００２０】
そして、本実施形態の電気機器電源ケーブル接続先の探索方法は、施設２内の電気機器３の電源ケーブル３ａに高調波電流注入装置６を接続し、施設２の分電盤７Ａ，７Ｂ内の配線（図１に示す例では、符号４Ａａ）において電流を測定しながら高調波電流注入装置６によって高調波電流を注入し、測定した電流における高調波電流の検出の有無に基づいて電気機器３が接続している施設内分岐回路を特定するようにしている。
【００２１】
上記電気機器電源ケーブル接続先の探索方法は、本発明の電気機器電源ケーブル接続先の探索システムとして実現される。本実施形態の電気機器電源ケーブル接続先の探索システムは、施設２内の電気機器３の電源ケーブル３ａに接続される高調波電流注入装置６と、施設２の分電盤７Ａ，７Ｂ内の配線において電流を測定する手段としての測定センサー５と、当該電流を測定する手段としての測定センサー５によって電流を測定しながら高調波電流注入装置６によって高調波電流を注入したときに測定された電流における高調波電流の検出を行う手段としてのデータ抽出手段１２とを備えている。
【００２２】
高調波電流注入装置６は、高調波電流（即ち、交流電流の高調波成分）を生成すると共に、当該生成した高調波電流を、電源ケーブル接続先の探索対象の電気機器３（以下、探索対象電気機器３という）の電源ケーブル３ａに流し込む装置である。
【００２３】
ここで、本発明は高調波電流注入装置６によって注入した高調波電流の検出を試みて高調波電流が増加するか否かによって電源ケーブル３ａの接続先を探索するので、高調波電流注入装置６が生成する高調波電流を対象施設２内の電気機器３から発生する高調波電流にはない特徴を有するものとすれば、電気機器３から普段に発生している（したがって、通常時において検出される）高調波電流と区別することが容易である点で好ましい。ただし、本発明は前述の通り高調波電流が増加するか否かを判断の基準とするので、対象施設２内の電気機器３から普段に発生している高調波電流と同じ次数の高調波電流であっても構わない。
【００２４】
高調波電流の特徴とは、例えば、高調波電流の次数，高調波電流の強さ，又はこれらの組み合せとして表される。なお、高調波電流注入装置６によって電源ケーブル３ａに流し込まれた特徴的な高調波電流は、探索対象電気機器３に流れる負荷電流に重畳される。
【００２５】
ここで、一般の電気機器３から発生する高調波電流は、奇数次のものが卓越して現れて偶数次のものは小さく、また、奇数次であっても３次，５次，７次といった次数のものまでが支配的であって９次，１１次，１３次といった高次の高調波電流は総負荷電流に含まれる割合が非常に小さい。したがって、高調波電流注入装置６が生成する高調波電流としては、偶数次、或いは、９次以上の奇数次のいずれかの周波数に合致するもの、或いは、偶数次と９次以上の奇数次との周波数の一部又は全部の組み合わせで構成されるものが好ましい。
【００２６】
具体的には例えば本実施形態の高調波電流注入装置６では、１３次の高調波電流を0.5〔Ａ〕で探索対象電気機器３の電源ケーブル３ａに流し込むようにする。ただし、高調波電流注入装置６が生成して注入する特徴的な高調波電流は、本実施形態の例に限定されるものではない。例えば、対象施設２内の電気機器３の動作に影響を及ぼさない範囲内において、高調波電流注入装置６が生成して注入する高調波電流を、２次，４次，６次のように偶数次にしたり、１３次よりも更に高次のものにしたりして、対象施設２内の全ての電気機器３にはない特徴が現れるようにしても良い。
【００２７】
なお、高調波電流注入装置６の仕組み自体は周知であるのでここでは詳細については省略する（例えば、特開２００４−３８７６５や特開２００５−１６０１３０を参照；これらの文献において「高調波信号注入装置」や「高調波信号発生装置」と表記されているものが本発明における「高調波電流注入装置」に該当する）。
【００２８】
高調波電流注入装置６は、探索対象電気機器３と並列になるように電源ケーブル３ａに接続しても良いし、探索対象電気機器３と直列になるように電源ケーブル３ａに接続しても良い。なお、対象施設２内の電気機器３によっては電源をオフにすることが望ましくない若しくはオフにすることができない場合も考えられ、そのような場合には高調波電流注入装置６を探索対象電気機器３と並列になるように電源ケーブル３ａに接続する（具体的には、高調波電流注入装置６の端子を該当する回路に押し当てる）。
【００２９】
高調波電流注入装置６を探索対象電気機器３と並列になるように電源ケーブル３ａに接続する場合には、具体的には例えば、高調波電流注入装置６が、探索対象電気機器３の電流取込部（例えば電源ケーブル３ａの電気機器側プラグ若しくはプラグに相当する部分の差込口）に電気的に接続するインターフェース及び電源ケーブル３ａの電流供給部（例えば電気機器側プラグ若しくはプラグに相当する部分）に電気的に接続するインターフェースを有して構成されたり（図１に示す例の場合）、或いは、探索対象電気機器３の電源ケーブル３ａの電流取込部（例えば電源プラグ若しくは電源プラグに相当する部分）に電気的に接続するインターフェース及び施設内分岐回路の電流供給部（例えばコンセント若しくはコンセントに相当する部分）に電気的に接続するインターフェースを有して構成されたりする。すなわち、このように本発明においては、高調波電流注入装置６を、探索対象電気機器３や電源ケーブル３ａなどに組み込む必要はなく、接続先探索時に（そして、当該接続先探索時のみ）接続するようにすれば良い。
【００３０】
なおここで、電気機器３の接続先の施設内分岐回路を特定することができない状態の一例を図１に示す例における電気機器３Ａを取り上げて説明すると、電源ケーブル３Ａａの電流取込部と施設内分岐回路の電流供給部とが、符号１ａの箇所である場合と符号１ｂの箇所である場合との二つの場合が例えば考えられる。そして、符号１ａの箇所である場合は電源ケーブル３ａの電源プラグが差し込まれている施設内分岐回路のコンセントは分かっているものの当該施設内分岐回路に繋がる分電盤７Ａ，７Ｂの配線用遮断器７Ａａ〜７Ａｅ，７Ｂａ〜７Ｂｃが特定できない場合であり、符号１ｂの箇所である場合は電源ケーブル３ａと施設内分岐回路との接続箇所が不明であって当該施設内分岐回路に繋がる分電盤７Ａ，７Ｂの配線用遮断器７Ａａ〜７Ａｅ，７Ｂａ〜７Ｂｃも当然特定できない場合である。
【００３１】
本発明の電気機器電源ケーブル接続先の探索システムの具体的構成例を図２に示す。この図において、対象施設２に引き込まれた引込口配線８（図１も参照）が分電盤７Ａ，７Ｂ内で分岐し、各分岐線に各配線用遮断器７Ａａ〜７Ａｅ，７Ｂａ〜７Ｂｃが設けられる。また、図２では、分電盤７Ａの各配線用遮断器７Ａａ〜７Ａｅに繋がる分電盤内配線を符号４Ａａ，４Ａｂ，４Ａｃ，４Ａｄ，４Ａｅで表し、分電盤７Ｂの各配線用遮断器７Ｂａ〜７Ｂｃに繋がる分電盤内配線を符号４Ｂａ，４Ｂｂ，４Ｂｃで表す（以下、これら分電盤内配線４Ａａ〜４Ａｅ，４Ｂａ〜４Ｂｃをまとめて表現する場合若しくは個々の分電盤内配線を区別する必要がない場合には分電盤内配線４と表記する）。
【００３２】
そして、分電盤内配線４Ａａ〜４Ａｅ，４Ｂａ〜４Ｂｃに、電流Ｉ3A，Ｉ3B，…，Ｉ3Eを流す電気機器３Ａ，３Ｂ，…，３Ｅのうちのいずれかが接続されている（また、何も接続されていないこともあり得る）。
【００３３】
測定センサー５は、対象施設２内の分電盤７Ａ，７Ｂ側において配線に流れる電流(総負荷電流)を測定するものである。本実施形態では、測定センサー５は、対象施設２内の分電盤７Ａ，７Ｂ内の各配線用遮断器７Ａａ〜７Ａｅ，７Ｂａ〜７Ｂｃに繋がる分電盤内配線４Ａａ〜４Ａｅ，４Ｂａ〜４Ｂｃに対して設置される。
【００３４】
測定センサー５は分電盤７Ａ，７Ｂ内の分電盤内配線４のいずれかに接続される例えばクランプ式変流器ＣＴ５であり、ＣＴ５の出力はデータ抽出手段１２の入力端子に接続される。なお、クランプ式や分割型の変流器を用いれば、電気機器３の電源をオフにしないでも、測定センサー５としての変流器を分電盤内配線４に接続することができる。
【００３５】
具体的には、ＣＴ５は分電盤内配線４に流れる電流を測定して二次側から電流と相似の電流Ｉを出力する。そして、この電流Ｉはデータ抽出手段１２に入力される。
【００３６】
データ抽出手段１２は、測定センサーであるＣＴ５によって測定されたデータから基本波の電流及び高調波の電流に関するデータを取り出すものであり、アナログ／デジタル変換器１２ａ（以下、Ａ／Ｄ変換器１２ａと表記する）と高速フーリエ変換器１２ｂとからなる。
【００３７】
Ａ／Ｄ変換器１２ａは、測定センサーであるＣＴ５によって測定された電流Ｉ（アナログデータ）をデジタルデータに変換する。このＡ／Ｄ変換器１２ａの出力は高速フーリエ変換器１２ｂに与えられる。
【００３８】
高速フーリエ変換器１２ｂは、Ａ／Ｄ変換器１２ａによって変換され出力されたデジタルデータから電流データＩ(1-13)を得る。
【００３９】
ここで、電流データＩ1は基本波の電流を表し、電流データＩ2-13は添字(２〜１３)が高調波の次数２次から１３次を表す高調波の電流を表し、給電線に供給される交流電力の基本周波数にその次数の数値を乗ずることでその高調波のもつ周波数が表される。例えば、基本周波数が５０〔Hz〕の場合、３次高調波電流とは１５０〔Hz〕の周波数成分のみをもつ電流成分のことを指す。
【００４０】
そして、本実施形態では、分電盤７Ａの配線用遮断器７Ａａ〜７Ａｅに接続する分電盤内配線４Ａａ〜４Ａｅ及び分電盤７Ｂの配線用遮断器７Ｂａ〜７Ｂｃに接続する分電盤内配線４Ｂａ〜４Ｂｃにおける電流(総負荷電流；電流データＩ(1-13))を測定センサー５であるＣＴ５及びデータ抽出手段１２によって測定しながら、探索対象電気機器３の電源ケーブル３ａに高調波電流注入装置６によって高調波電流の注入を開始し、高調波電流注入装置６によって注入を開始した高調波電流がデータ抽出手段１２によって抽出(検出)されるか否かによって各電気機器３の電源ケーブル３ａの接続先になっている施設内分岐回路（即ち、本実施形態では、配線用遮断器７Ａａ〜７Ａｅ，７Ｂａ〜７Ｂｃのうちのいずれか）を特定する。
【００４１】
具体的には、高調波電流注入装置６による高調波電流の注入前後において、注入している次数の高調波電流の変動の有無を観測する。例えば、図１に示す例では、電気機器３Ａを探索対象電気機器とし、当該電気機器３Ａの電源ケーブル３Ａａに高調波電流注入装置６を接続して電源ケーブル３Ａａに１３次の高調波電流を0.5〔Ａ〕注入する。
【００４２】
まず初めに分電盤７Ａの配線用遮断器７Ａａに接続する分電盤内配線４Ａａにおける電流を測定しながら電源ケーブル３Ａａに１３次の高調波電流の注入を開始する。このとき、図１に示す例では、探索対象電気機器３Ａは分電盤７Ａの配線用遮断器７Ａａを介して構成される施設内分岐回路には接続されていないので、高調波電流注入装置６によって注入している１３次の高調波の電流は測定(検出)されない（すなわち、高調波電流の注入前後において１３次の高調波電流は変動しない）。
【００４３】
続いて、分電盤７Ａの配線用遮断器７Ａｂに接続する分電盤内配線４Ａｂにおける電流を測定しながら電源ケーブル３Ａａに１３次の高調波電流の注入を行い、さらに、配線用遮断器７Ａｃに接続する分電盤内配線４Ａｃにおける電流を測定しながら電源ケーブル３Ａａに１３次の高調波電流の注入を行い、同様に、分電盤内配線４Ａｄ，４Ａｅにおける電流を測定しながら高調波電流の注入を行う。しかしながら、図１に示す例では、探索対象電気機器３Ａは分電盤７Ａを介して構成される施設内分岐回路には接続されていないので、高調波電流注入装置６によって注入している１３次の高調波の電流は測定(検出)されない。
【００４４】
次に、分電盤７Ｂの配線用遮断器７Ｂａに接続する分電盤内配線４Ｂａにおける電流を測定しながら高調波電流の注入を開始する。このとき、図１に示す例では、高調波電流注入装置６によって注入している１３次の高調波の電流が測定(検出)される（すなわち、高調波電流の注入開始と同時に１３次の高調波電流が0.5〔Ａ〕増加する）。これにより、探索対象である電気機器３Ａの電源ケーブル３Ａａの接続先は分電盤７Ｂの配線用遮断器７Ｂａを介して構成される施設内分岐回路であると特定される。
【００４５】
なお、高調波電流注入装置６による高調波電流の注入開始操作が一回だけでは注入前後における高調波の電流の変動が分かりづらい場合などは、分電盤内配線４における電流の測定をしている状態で高調波電流の注入操作を繰り返し行うようにしても良い。
【００４６】
また、データ抽出手段１２による処理結果である高調波の電流データＩ(2-13)に基づく高調波電流注入装置６によって注入された高調波の電流の検出の有無は、例えば、データ抽出手段１２が表示部を有し当該表示部に高調波の電流データＩ(2-13)の値を表示してその値の変動に基づいて作業者が判断するようにしても良いし、高調波の電流が予め定めた閾値を上回って増加した場合にはデータ抽出手段１２が発音や発光して知らせるようにしても良い。或いはまた、データ抽出手段１２による処理結果である高調波の電流データＩ(2-13)を判定装置（図示していない）に入力し、判定装置が高調波の電流の変動の大きさを計算すると共に高調波の電流が予め定めた基準を超えて増加した場合には発音や発光して知らせるようにしても良い。なお、前記の閾値や基準は特定の値や内容に限定されるものではなく、対象施設２内の電気機器３の仕様などに基づいて適宜設定される。
【００４７】
以上のように構成された本発明の電気機器電源ケーブル接続先の探索方法及び探索システムによれば、高調波電流の注入とその検出のみにより、電気機器が接続している施設内分岐回路を特定することができるので、電気機器電源ケーブルの接続先の探索を簡便・迅速に行うことができる。
【００４８】
なお、上述の形態は本発明の好適な形態の一例ではあるがこれに限定されるものではなく、本発明の要旨を逸脱しない範囲において種々変形実施可能である。例えば、上述の実施形態では、分電盤７Ａ，７Ｂ内の複数の分電盤内配線４Ａａ〜４Ａｅ，４Ｂａ〜４Ｂｃのうちの一つに測定センサー５を接続して電流(総負荷電流)を測定しながら高調波電流注入装置６によって高調波電流の注入を開始することを、分電盤７Ａ内の複数の分電盤内配線４Ａａ〜４Ａｅ及び分電盤７Ｂ内の複数の分電盤内配線４Ｂａ〜４Ｂｃに対して順次繰り返すようにしているが、分電盤７Ａ，７Ｂ内の複数の分電盤内配線４Ａａ〜４Ａｅ，４Ｂａ〜４Ｂｃの全部若しくは一部のそれぞれに測定センサー５を接続して高調波電流注入装置６によって高調波電流の注入を開始するようにしても良い。この場合には、探索対象電気機器３の電源ケーブル３ａの接続先になっている施設内分岐回路に対応する配線用遮断器７に繋がる分電盤内配線(４Ａａ〜４Ａｅ，４Ｂａ〜４Ｂｃのうちのいずれか)に接続された測定センサー５のみが高調波電流注入装置６によって注入している高調波の電流を測定(検出)する一方で他の測定センサー５は測定(検出)しないので、探索対象電気機器３の電源ケーブル３ａの接続先になっている施設内分岐回路（即ち、本実施形態では、配線用遮断器７Ａａ〜７Ａｅ，７Ｂａ〜７Ｂｃのうちのいずれか）を特定することができる。
【００４９】
また、上述の実施形態では、複数の電気機器３Ａ〜３Ｅの電源ケーブル３Ａａ〜３Ｅａのうちの一つに高調波電流注入装置６を接続して高調波電流の注入を開始することを、複数の電気機器３Ａ〜３Ｅの電源ケーブル３Ａａ〜３Ｅａに対して順次繰り返すようにしているが、複数の電源ケーブル３Ａａ〜３Ｅａの全部若しくは一部のそれぞれに高調波電流注入装置６を接続して高調波電流の注入を開始するようにしても良い。この場合には、注入する高調波電流の周波数や振幅を適宜調整して複数設定できるように高調波電流注入装置６を構成して複数の電源ケーブル３Ａａ〜３Ｅａのそれぞれに接続する高調波電流注入装置６が相互にユニークで他と区別され得る高調波電流を注入すると共に測定センサー５が測定(検出)した高調波の電流の種別を区別するようにすることにより、測定センサー５によって測定(検出)された高調波の電流の種別により電気機器３Ａ〜３Ｅの電源ケーブル(３Ａａ〜３Ｅａのうちのいずれか)を特定することができる。
【００５０】
また、上述の実施形態では各電気機器３と分電盤７Ａ，７Ｂの配線用遮断器(７Ａａ〜７Ａｅ，７Ｂａ〜７Ｂｃ)との対応を特定する場合を例に挙げて説明したが、本発明における接続先の探索・特定の単位は、分電盤の配線用遮断器単位に限られるものではなく、施設の受電室の変圧器等の受電設備単位などであっても良い。具体的には、本発明における接続先の探索・特定の単位は、施設内の配線回路の分岐の単位を基準として他の分岐回路とは独立して電流を測定することができる分岐回路毎である。
【００５１】
また、上述の実施形態では電流を測定する手段を測定センサー５としてクランプ式変流器（即ち、ＣＴ５）によって構成するようにしているが、本発明における電流を測定する手段５は、施設内の配線回路の電流を測定することができるものであれば良く、クランプ式変流器に限られるものではない。
【００５２】
また、上述の実施形態では分電盤７Ａの配線用遮断器７Ａａ〜７Ａｅに接続する分電盤内配線４Ａａ〜４Ａｅ及び分電盤７Ｂの配線用遮断器７Ｂａ〜７Ｂｃに接続する分電盤内配線４Ｂａ〜４Ｂｃにおける電流(総負荷電流)を測定するようにしているが、対象施設２に引き込まれた引込口配線８における電流を測定するようにしても良い。この場合には、図３に示すように、分電盤７Ａと接続する引込口配線８に電流を測定する手段５を接続して電流の測定を行うと共に探索対象である電気機器３Ａの電源ケーブル３Ａａに高調波電流注入装置６を接続して高調波電流を注入した状態で分電盤７Ａの配線用遮断器７Ａａ〜７Ａｅのうちの一つのみを接続状態にしてその他は切断状態にすることを配線用遮断器７Ａａ〜７Ａｅについて順番に行い、更に、分電盤７Ｂと接続する引込口配線８に電流を測定する手段５を接続して電流の測定を行うと共に探索対象である電気機器３Ａの電源ケーブル３Ａａに高調波電流注入装置６を接続して高調波電流を注入した状態で分電盤７Ｂの配線用遮断器７Ｂａ〜７Ｂｃのうちの一つのみを接続状態にしてその他は切断状態にすることを配線用遮断器７Ｂａ〜７Ｂｃについて順番に行い、注入している高調波電流が検出されたときに接続状態になっている配線用遮断器（図３に示す例では、７Ｂａ）を介して構成される施設内分岐回路に探索対象電気機器３Ａが接続していると特定することができる。
【符号の説明】
【００５３】
２  対象施設
３(３Ａ〜３Ｅ)  電気機器
３ａ(３Ａａ〜３Ｅａ)  電源ケーブル
４(４Ａａ〜４Ｅａ)  分電盤内配線
５  測定センサー
６  高調波電流注入装置
７  分電盤
８  引込口配線
【図２】
2013042587.tif 000003
【図１】
2013042587.tif 000004
【図３】
2013042587.tif 000005